【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
ソケット内に設置するライナシステムであって、
表面と裏面を有する透湿性のエアバリア層であって、前記表面は残肢を受けるための内部空洞を画定するエアバリア層と、
前記バリア層の前記裏面の通気層であって、使用者の皮膚と前記ライナシステムとの界面における湿分を管理するために湿分が通過する複数の通気造作物を有する通気層と、
を有するライナシステムを備えることを特徴とする義肢。
【請求項２】
前記通気造作物は、前記通気層の両面の間に延びる、離間された複数の貫通穴を有することを特徴とする請求項１に記載の義肢。
【請求項３】
前記通気造作物は、前記通気層の中の複数のチャネルを含み、前記バリア層は前記複数のチャネルを横切って延び、通路を画定することを特徴とする請求項１に記載の義肢。
【請求項４】
前記通気造作物と流体連通し、流体が前記通気造作物を流れるようにする加圧装置をさらに備えることを特徴とする請求項１に記載の義肢。
【請求項５】
前記加圧装置は、流体を前記通気造作物の中に押し流すためのファンか、前記通気造作物の中で流体を吸引するポンプであることを特徴とする請求項４に記載の義肢。
【請求項６】
前記通気造作物はチャネルであり、
前記義肢は、前記チャネルの１つに沿って位置づけられる少なくとも１つの補強構造をさらに備え、前記補強構造は、前記チャネルを開放した状態に保つように構成されることを特徴とする請求項１に記載の義肢。
【請求項７】
前記少なくとも１つの補強構造は、前記チャネルのルーメン内に位置付けられた複数の管状部材を有することを特徴とする請求項６に記載の義肢。
【請求項８】
前記複数の通気造作物は、チャネルの網状構造と、前記チャネル内の芯材を有し、前記芯材は、前記バリア層を通過した湿分を、前記チャネルを通って移動させるように位置付けられることを特徴とする請求項１に記載の義肢。
【請求項９】
前記バリア層は、前記複数の通気造作物と重複することを特徴とする請求項１に記載の義肢。
【請求項１０】
透湿性のエアバリア層は、残肢が前記内部空洞の中に位置付けられた状態で真空を保持することが可能であることを特徴とする請求項１に記載の義肢。
【請求項１１】
加圧装置と、
ライナシステムによって裏打ちされるソケットと、
前記ソケットに沿う異なる位置に配置される複数のセンサであって、前記加圧装置が前記センサからの１つ以上の信号に応答して動作するように、前記加圧装置と通信する複数のセンサと、
をさらに備えることを特徴とする請求項１に記載の義肢。
【請求項１２】
透湿性のエアバリア層は、ポリエステルエステル膜からなることを特徴とする請求項１に記載の義肢。
【請求項１３】
透湿性のエアバリア層は、前記通気層の大部分を覆い、かつ、それを通過する空気に対して実質的に不浸透性であることを特徴とする請求項１に記載の義肢。
【請求項１４】
透湿性のエアバリア層は疎水性素材と親水性素材からなることを特徴とする請求項１に記載の義肢。
【請求項１５】
透湿性のエアバリア層は緊密に織られた繊維の層によってなり、前記繊維の一部は疎水性であり、前記繊維の一部は親水性であることを特徴とする請求項１に記載の義肢。
【請求項１６】
透湿性のエアバリア層は前記通気層の大部分を覆う膜を含み、前記膜は、使用者の皮膚と気密封止部を形成するように構成されることを特徴とする請求項１に記載の義肢。
【請求項１７】
義肢であって、
複数のホルダと１つの窓を有するソケット本体と、
前記窓の中に位置付けられる調節パネルであって、前記ソケット本体に関して移動可能で、複数のホルダを有する調節パネルと、
残肢を受けるための空洞であって、前記調節パネルと前記ソケット本体によって画定される空洞と、
張力部材であって、前記ソケット本体の前記複数のホルダの各々と、前記調節パネルの前記複数のホルダの各々により、張力部材に係る張力を調節することによって前記前記空洞の容積が増大または縮小させるように保持される張力部材と、
第一の状態と第二の状態を有する張力機構であって、前記第一の状態においては前記張力部材を保持し、前記第二の状態においては前記張力部材が前記調節パネルを移動させて、前記空洞の前記容積を増大または縮小させる張力機構と、
を備えることを特徴とする義肢。
【請求項１８】
前記張力部材は、前記ソケット本体と前記調節パネルを紐で結合することを特徴とする請求項１７に記載の義肢。
【請求項１９】
前記張力部材は、前記ソケット本体の前記ホルダと前記調節パネルの前記ホルダの間で交互に延びることを特徴とする請求項１７に記載の義肢。
【請求項２０】
前記ソケット本体は、前記調節パネルの略全体を取り囲む前記窓の周縁を画定する剛性体を有することを特徴とする請求項１７に記載の義肢。
【請求項２１】
前記張力機構と連通する少なくとも１つのセンサをさらに備え、前記張力機構は、前記少なくとも１つのセンサからの信号に基づいて、前記張力部材にかかる張力を増大または減少させることを特徴とする請求項１７に記載の義肢。
【請求項２２】
前記少なくとも１つのセンサは、使用者が前記義肢に掛ける圧力を測定するように位置付けられた圧力センサを含むことを特徴とする請求項２１に記載の義肢。
【請求項２３】
前記少なくとも１つのセンサと前記張力機構の両方に連通状態で連結されるコントローラをさらに備え、前記コントローラは、前記張力機構が前記少なくとも１つのセンサからの信号に基づいて前記調節パネルを移動させるようにすることを特徴とする請求項２１に記載の義肢。
【請求項２４】
義肢であって、
ソケット本体と、
少なくとも１つの調節パネルであって、前記ソケット本体と協働して残肢を受けるための空洞を画定する調節パネルと、
前記ソケット本体と前記パネルの両方に連結されるレーシングシステムであって、前記パネルを前記ソケット本体に関して移動させて、前記空洞の容積を調節するレーシングシステムと、
レーシングシステムを保持して、前記残肢が前記空洞の中にあるときに、前記パネルの前記ソケット本体に関する移動を制限するように構成されている張力機構と、
を備えることを特徴とする義肢。
【請求項２５】
前記レーシングシステムは、前記ソケット本体の複数のホルダを通過し、前記パネルの複数のホルダを通過する張力部材を有することを特徴とする請求項２４に記載の義肢。
【請求項２６】
前記少なくとも１つの調節パネルは、それぞれ第一の窓と第二の窓の間に位置付けられる第一の調節パネルと第二の調節パネルを有し、前記第一の窓と前記第二の窓は、前記ソケット本体の反対側に配置されていることを特徴とする請求項２４に記載の義肢。
【請求項２７】
前記レーシングシステムは、
前記第一の調節パネルを前記ソケット本体に紐で結合し、前記第一の調節パネルが前記第一の窓の中に懸架されるようにする第一の張力部材と、
前記第二の調節パネルを前記ソケット本体に紐で結合し、前記第二の調節パネルが前記第二の窓の中に懸架されるようにする第二の張力部材と、
を有することを特徴とする請求項２６に記載の義肢。
【請求項２８】
前記レーシングシステムは、前記レーシングシステムの張力が増大したら、前記調節可能なパネルの垂直に延びる部分を前記空間に向かって内側に引くことを特徴とする請求項２４に記載の義肢。
【請求項２９】
支持面と接触する足部と、
前記ソケット本体と前記足部の間のパイロンと、
をさらに備えることを特徴とする請求項２４に記載の義肢。
【請求項３０】
前記ソケット本体の内面と前記調節パネルの少なくとも大部分と重複するライナシステムをさらに備え、前記ライナシステムは、前記ソケット本体と前記パネルの間のギャップを横切って延びることを特徴とする請求項２４に記載の義肢。
【請求項３１】
前記ソケット本体の内面を裏打ちするライナシステムをさらに備え、前記ライナシステムは透湿性のエアバリア層と通気層を有し、前記通気層は前記ソケット本体と前記エアバリア層の間に位置付けられることを特徴とする請求項２４に記載の義肢。
【請求項３２】
前記通気層は、使用者の皮膚と前記ライナシステム間からの湿分が通過する複数の通気造作物を有することを特徴とする請求項３１に記載の義肢。
【請求項３３】
使用者の残肢を受けるための空洞を画定する形状変更可能なソケットと、
前記ソケットの前記形状を変更する調節装置であって、
前記ソケットによって担持される少なくとも１つのセンサと、
張力機構と、
前記少なくとも１つのセンサに連通状態で連結されるコントローラであって、前記張力機構に対して、前記少なくとも１つのセンサからの信号に基づいて前記ソケットの前記形状を調節するように命令するコントローラと、
を有する調節装置と、
を備えることを特徴とする義肢。
【請求項３４】
前記張力機構は、牽引ユニットと張力部材を有し、前記牽引ユニットは、前記コントローラからの信号に応答して、前記張力部材を引いて前記ソケットの形状を変更することを特徴とする請求項３３に記載の義肢。
【請求項３５】
前記コントローラは、周期的または連続的に、前記前記少なくとも１つのセンサからの信号に基づいて前記ソケットの前記形状を調節するようにプログラム可能であることを特徴とする請求項３３に記載の義肢。
【請求項３６】
前記少なくとも１つのセンサは、相互に離間され、使用中に前記使用者が前記ソケットにかける圧力を測定する複数の圧力センサを備えることを特徴とする請求項３３に記載の義肢。
【請求項３７】
前記コントローラは、前記少なくとも１つのセンサからの信号に基づいて、自動的に前記調節装置に前記ソケットの形状を変更させるように構成されていることを特徴とする請求項３３に記載の義肢。
【請求項３８】
前記調節装置は、前記張力機構と協働して、使用者が前記義肢を装着している間に、選択的に前記空洞の容積を縮小させ、前記空洞の容積を増大させるレーシングシステムを有することを特徴とする請求項３３に記載の義肢。
【請求項３９】
前記形状変更可能ソケットは、前記空洞を画定する剛性ソケット本体と調節パネルを有し、前記調節パネルは、前記ソケット本体に関して移動可能であり、前記剛性ソケット本体の形状を大幅に変更することなく、前記空洞の容積調節を行うことを特徴とする請求項３３記載の義肢。
【請求項４０】
本体と、レーシングシステムと、前記レーシングシステムによって開口部の中に懸架されるパネルと、を有するソケットを備え、前記レーシングシステムは、少なくとも前記本体の長さと前記パネルに沿って延び、前記パネルを内側に引くことを特徴とする義肢。
【請求項４１】
前記ソケットの前記形状を変化させる調節装置をさらに備え、前記調節装置は、
張力機構と、
前記張力機構に連通状態で連結されるコントローラであって、前記張力機構に対して前記ソケットの前記形状を調節するように命令するコントローラと、
を有することを特徴とする請求項４０に記載の義肢。
【請求項４２】
義肢を調節する方法であって、
使用者が義肢のソケットにかける圧力を検出するステップであって、前記ソケットはソケット本体の窓の中に位置付けられるパネルを有し、前記パネルと前記ソケット本体が使用中に前記使用者の残肢を支持するようなステップと、
前記圧力の検出に基づいて前記ソケット本体に関する前記パネルの位置を調節するステップと、
を含むことを特徴とする方法。
【請求項４３】
前記パネルの前記位置を調節する間に、前記ソケットで前記使用者の体重の大部分を支持するステップをさらに含むことを特徴とする請求項４２に記載の方法。
【請求項４４】
前記パネルと前記ソケット本体に連結された張力部材を移動させて、前記パネルの前記位置を調節するステップをさらに含むことを特徴とする請求項４２に記載の方法。
【請求項４５】
前記圧力を検出するステップは、圧力センサからの信号をコントローラに送信するステップを含むことを特徴とする請求項４２に記載の方法。
【請求項４６】
前記パネルを第一の位置から第二の位置に移動させて、前記残肢の一部にかかる圧力を増大または縮小させるステップと、
前記パネルを前記第二の位置に保持するステップと、
を含むことを特徴とする請求項４２に記載の方法。
【請求項４７】
前記ユーザによってかけられる圧力を検出するステップは、前記ソケットに沿って異なる位置に位置付けられた圧力センサのアレイを使って前記圧陸を測定するステップを含み、前記圧陸センサの各々は、前記ソケットに異なる形状を持たせることのできるコントローラと連通することを特徴とする請求項４２に記載の方法。